(57)【要約】【課題】  搬送トレーに収納する光学用フィルタと搬送トレーとのの摩擦の発生により、光学用フィルタの主面表面および側面と言った全体に静電気が発生し帯電することから、密閉雰囲気のシートで覆われた状態での搬送中および搬送トレーを開封したときに、外部のチリやホコリを吸い付けてしまい、光学フィルタの主面表面に異物が付着するおそれを解消することを目的とする。【解決手段】  課題を解決するために本発明は、結晶材料から成る光学用フィルタの搬送トレーにおいて、該搬送トレーを密閉環境で封入し、前記封入環境の湿度を５０〜６５％に保ったことを特徴とする光学用フィルタの搬送トレーとすることにより課題を解決する。【選択図】  図１
2005343485.tif 000002
【特許請求の範囲】
【請求項１】
結晶材料から成る光学用フィルタの搬送トレーにおいて、
該搬送トレーを密閉環境で封入し、前記封入環境の湿度を５０〜６５％に保ったことを特徴とする光学用フィルタの搬送トレー。
【発明の詳細な説明】
【技術分野】
【０００１】
本発明は、光学用フィルタを搬送するにあたり、光学用フィルタの主面表面に微細な埃やゴミの付着を抑制する効果を奏する搬送トレーの包装形態に関する。
【背景技術】
【０００２】
圧電結晶材料から製造される光学用フィルタは、主に映像機器の映像取り入れ部にあたる、レンズからの映像として入力された光源を光の三原色に分離するために用いられる（高屈折率を持つ）プリズムのような透明薄板である。映像機器の映像入力である光源を分離する役目として重要な機能を持っているため、製造工程における光学用フィルタの加工精度は大変厳しく、構造的にも複数枚の薄板を張り合わせてひとつの光学用フィルタを構成するといった製造方法においても、複雑な製造工程と精密な表面処理が行われている。
【０００３】
従って、製造工程における光学用フィルタの取り扱いは大変慎重に行われ、かつ複数工程を通過した上で光学用フィルタとしてのひとつの製品が作られる。製造工程の中には、光学用フィルタとしての機能を最大限に発揮させるために、光学用フィルタの光を通過させる主面に反射防止効果などをもった透過特性改善のための表面処理加工を行うなど、化学薬品や真空蒸着による表面コーティングも行う必要がある。
【０００４】
これらの製造工程を通過して製造が行われることから、工程間を移動するときの光学用フィルタの搬送トレーの保持封入方法は、例えば特開２００１−１５８４９４号公報に示すような光学用フィルタを保持する形状や構造となっている。  また、今までは工程内の搬送と製品出荷時にも同一の搬送トレーを使用することや、光学用フィルタ寸法もその使用目的、用途により多種多様化する傾向であることから、光学用フィルタを安全に、かつ確実に輸送するためには不安要素を持つ搬送トレーの(光学用フィルタの)収納形状であり、更には多種の寸法形状に見合った形状の搬送トレーも用意しながら光学用フィルタの搬送工程を行っているのが現状にある。
【０００５】
特に対客先との搬送用にも応用する場合には、搬送トレーを覆うように密閉して包装することにより防塵効果を高めている。ここで密閉包装に使用する材質の一例には樹脂から成るシートであり、密閉包装する内部には、乾燥空気、窒素雰囲気、真空雰囲気などの雰囲気環境であるが、必要に応じて乾燥剤も同包する場合もある。
【特許文献１】特開２００１−１５８４９４号公報
【発明の開示】
【発明が解決しようとする課題】
【０００６】
前述するように、光学用フィルタは製造工程に用いる搬送トレーと、客先への出荷に用いる搬送トレーと、搬送トレー管理が必要となっている現状にあるのと同時に、光学用フィルタの寸法形状による多品種化の傾向により、搬送トレーの収納寸法を変えた搬送トレーを必要とするなど搬送トレー自体の管理が複雑化している。それに加えて、搬送トレーによる搬送は光学用フィルタ保持部形状も、搬送トレーの凹部に光学用フィルタを落とし込むような形状であるために、凹部形状のためにほこりなども溜まり易く、また搬送時の防塵効果を高めるために、搬送トレーを覆うような樹脂シートに入れて出荷作業を行っている。水晶および表面コーティング膜は誘電体であり、空気と搬送トレーとの摩擦などで静電気が発生し易く、静電気により周囲から発生するゴミを吸着してしまう。
【０００７】
静電気の発生は湿度に応じて変化するために、搬送時の樹脂シートで覆われた雰囲気は、シートで覆われた搬送トレーが密閉雰囲気状態にあるためにこのシートの中の雰囲気の乾燥具合が、直接搬送トレーに収納される光学用フィルタにも影響を及ぼしてしまう。仮にシートの中の雰囲気が乾燥している場合には、搬送トレーに収納する光学用フィルタと搬送トレーとの摩擦の発生により、光学用フィルタの主面表面および側面と言った全体に静電気が発生し帯電することから、密閉雰囲気のシートで覆われた搬送トレー（シートで覆われた内部で発生するチリやホコリの発生も含む）を開封したときに、外部のチリやホコリを吸い付けてしまい、光学フィルタの主面表面に異物が付着するおそれが考えられる。
【課題を解決するための手段】
【０００８】
本発明は前述する光学フィルタ主面表面に静電気によりチリやゴミの付着を抑制することを目的とするもので、搬送トレーと光学フィルタの両者の摩擦で発生する静電気は雰囲気の湿度（搬送トレーを樹脂シートに封入するため）量で大きく異なるために、光学フィルタの主面表面に結露を発生させず、かつ光学フィルタ全体に静電気を帯電しずらい湿度設定として、相対湿度を５０〜６５％の範囲の湿度雰囲気で封入するように樹脂シート内の湿度量を制御するものである。
【発明の効果】
【０００９】
上述のように本発明の樹脂シートに封入する搬送トレーの樹脂シート内の湿度成分を適正の湿度量に設定することで、結晶材料からなる光学フィルタやフィルタの主面表面にコーティングを施したＳｉＯ２などの誘電体は、静電気の放電作用が低いが、搬送トレーを樹脂シートで覆う雰囲気の湿度量を適正値の湿度量に維持することで静電気の発生量を抑制することができ、その結果チリやゴミの付着を大幅に低減することができる。
【発明を実施するための最良の形態】
【００１０】
そこで本発明は、結晶材料から成る光学用フィルタの搬送トレーにおいて、該搬送トレーを密閉環境で封入し、前記封入環境の湿度を５０〜６５％に保ったことを特徴とする光学用フィルタの搬送トレーとするものである。要するに、搬送トレーを防塵対策するために樹脂シートで覆う形態のときのシート内部の雰囲気湿度保水量を調整することで、光学フィルタ全体を結露することなく、静電気の発生を抑える湿度量に設定することで課題を解決するものである。
【実施例】
【００１１】
以下、添付図面に従ってこの発明の実施例を説明する。なお、各図において同一の符号は同様の対象を示すものとする。図１に本発明の搬送トレー２の概念を説明する。図１は従来から用いられる樹脂材料を真空成形などで製作した搬送トレー２を樹脂シート１に封入して防塵対策をする様子を描画したものである。従って、搬送トレー２の光学フィルタを収納する仕組や構造、あるいは搬送トレー２内部の間切りの形状などを問うことなく、搬送トレー２に光学フィルタを収納することができれば事が足りるものである。
【００１２】
そして、この搬送トレー２を樹脂シート１、いわゆる梱包用に用いるビニールなどで、搬送トレー２をほぼ密閉状態にまで封入することで、搬送トレー２に収納する光学フィルタをチリやゴミから保護することができる。そしてこの搬送トレー２を樹脂シート１で封入する際に、樹脂シート１内部の湿度量を相対湿度で５０〜６５％の範囲に設定することで、結晶材料から成る（例えば水晶材料）光学用フィルタ全体を結露させることなく、光学フィルタを搬送トレー２に入れた時の摩擦による発生する静電気の発生率を抑制することができる。なお、図２に示すのは従来から用いている搬送トレー２の一例を示す平面図である。図２（ａ）は搬送トレー２の上面から見た図で、各マス部に光学用フィルタをひとつずつ収納する形態となる。そして図２（ｂ）は図２（ａ）のＡ−Ａ部断面を図示したものである。
【産業上の利用可能性】
【００１３】
本発明により搬送トレー内に光学フィルタを収納し搬送する際の静電気の発生を大幅に低減することができることをはじめ、静電気の発生を嫌う半導体集積回路（ＩＣ）の搬送用、収納用工程にも応用できるほか、製造工程や作業工程で発生する静電気除去対策にも応用できる。
【図面の簡単な説明】
【００１４】
【図１】本発明の搬送トレーの概念を示す概念図である。
【図２】従来から使用する搬送トレーの一例を挙げた平面図である。
【符号の説明】
【００１５】
１      樹脂シート
２      搬送トレー
【図１】
2005343485.tif 000003
【図２】
2005343485.tif 000004